【手続補正書】
【提出日】平成29年6月12日(2017.6.12)
【手続補正１】
【補正対象書類名】特許請求の範囲
【補正対象項目名】全文
【補正方法】変更
【補正の内容】
【特許請求の範囲】
【請求項１】
少なくとも１つのホストと、少なくとも１つのドッキー装置と、を有する無線ドッキングシステムであって、
前記ホスト及び前記ドッキー装置は、ドッキングセッションをセットアップするため、無線通信を介してドッキングするように構成され、
前記ホストは、少なくとも１つの周辺機器を有する少なくとも１つの無線ドッキング環境を供給するように構成され、
前記ドッキングセッションは、前記ドッキー装置が前記周辺機器を使用できるようにし、
前記ホストは、
前記無線通信を供給するためのホスト通信ユニットと、
前記ドッキー装置をドッキングさせるように構成されたホストプロセッサと、
を有し、
前記ドッキー装置は、
前記無線通信を供給するためのドッキー通信ユニットと、
前記ホストとドッキングするように構成されたドッキープロセッサと、
を有し、
前記ドッキープロセッサは、前記ドッキングセッションを確立する前に、
複数の利用可能な無線ドッキング環境から１つの無線ドッキング環境を選択し、
前記選択された無線ドッキング環境を供給している前記ホストに、前記ドッキー通信ユニットを介して、識別要求を送信し、前記識別要求は、前記ホストの周辺機器に対して、離れた距離において検出可能であり、ディスプレイスクリーンの作動範囲内にいるユーザのために前記ディスプレイスクリーン上にテキストメッセージを表示するのとは異なる、物理的且つ遠隔的に検出可能なフィードバックの付与を要求し、
前記ホストプロセッサは、前記ドッキングセッションを確立する前に、
前記ドッキー装置から、前記ホスト通信ユニットを介して、前記識別要求を受信し、
前記周辺機器を有する前記ドッキー装置のユーザが、前記選択された前記ドッキング環境を認識できるようにする前記物理的且つ遠隔的に検出可能なフィードバックを生成するため、前記周辺機器を制御することによって、前記識別要求に応答する、無線ドッキングシステム。
【請求項２】
請求項１記載のシステムにおいて用いるためのホストであって、
前記ホストは、
ドッキングセッションをセットアップするため、無線通信を介して前記ドッキー装置にドッキングし、
少なくとも１つの周辺機器を有する少なくとも１つの無線ドッキング環境を供給し、
前記ドッキングセッションは、前記ドッキー装置が前記周辺機器を使用できるようにし、
前記ホストは、
前記無線通信を供給するためのホスト通信ユニットと、
前記ドッキー装置をドッキングさせるように構成されたホストプロセッサと、
を有し、
前記ホストプロセッサは、前記ドッキングセッションを確立する前に、
前記ドッキー装置から、前記ホスト通信ユニットを介して、前記識別要求を受信し、前記識別要求は、前記ホストの周辺機器に対して、離れた距離において検出可能であり、ディスプレイスクリーンの作動範囲内にいるユーザのために前記ディスプレイスクリーン上にテキストメッセージを表示するのとは異なる、物理的且つ遠隔的に検出可能なフィードバックの付与を要求し、
前記周辺機器を有する前記ドッキー装置のユーザが、前記選択された前記ドッキング環境を認識できるようにする物理的且つ遠隔的に検出可能なフィードバックを生成するため、前記周辺機器を制御することによって、前記識別要求に応答する、ホスト。
【請求項３】
前記ホストプロセッサが、前記ホストの前記周辺機器の少なくとも１つの出力ユニットを制御することによって、前記物理的且つ遠隔的に検出可能なフィードバックを生成する、請求項２記載のホスト。
【請求項４】
前記出力ユニットが、ディスプレイであって、前記出力ユニットを制御することが、前記ディスプレイの物理パラメータをパルス状に変化させることを含み、前記変化が、
前記ディスプレイの輝度又は色をパルス状に修正し、  単一平面により、前記ディスプレイに予め存在していたコンテンツをパルス状に置換し、
前記ディスプレイをパルス状に隠す、
のうちの１つを有し、
前記パルス状の変化後、前記ディスプレイの前記予め存在していたコンテンツに戻る、請求項３記載のホスト。
【請求項５】
前記ホストプロセッサが、前記無線環境の場所を照らす照明装置をパルス状に制御することにより、前記物理的且つ遠隔的に検出可能なフィードバックを生成する、請求項２記載のホスト。
【請求項６】
前記ホストプロセッサが、前記物理的且つ遠隔的に検出可能なフィードバックを与えるために、前記無線ドッキング環境に含まれる周辺機器を制御することによって、前記物理的且つ遠隔的に検出可能なフィードバックを生成する、請求項２記載のホスト。
【請求項７】
前記ホストプロセッサが、一般制御信号及び／又は一般通信メッセージを用いて、前記物理的且つ遠隔的に検出可能なフィードバックを与えるために、前記ホストの前記周辺機器を制御し、前記一般制御信号及び／又は一般通信メッセージは、前記ホストの前記周辺機器の一般機能を制御するためのものであるが、結果的に、前記物理的且つ遠隔的に検出可能なフィードバックを与える前記ホストの前記周辺機器も制御するためのものである、請求項２記載のホスト。
【請求項８】
前記ホストの前記周辺機器が、
キーボードであって、前記一般制御信号及び／又は一般通信メッセージが、パルス状に活性化されるキーボードモードインジケータである、又は、
無線充電ユニットであって、前記一般制御信号及び／又は一般通信メッセージが、パルス状に活性化される充電である、又は、
プリンタであって、前記一般制御信号及び／又は一般通信メッセージが、
プリンタモードインジケータをパルス状に活性化する、
テストページを印刷する、
のうちの少なくとも１つに活性化されるプリンタである、請求項７記載のホスト。
【請求項９】
請求項１記載のシステムにおいて用いられるドッキー装置であって、前記ドッキー装置は、ドッキングセッションをセットアップするため、無線通信を介してドッキングするように構成され、
ドッキングセッションは、前記ドッキー装置がホストによって収容されるようなドッキング環境に含まれる周辺機器を使用できるようにし、
前記ドッキー装置は、
前記無線通信を供給するためのドッキー通信ユニットと、
前記ホストとドッキングするように構成されたドッキープロセッサと、
を有し、
前記ドッキープロセッサは、前記ドッキングセッションを確立する前に、
複数の利用可能な無線ドッキング環境から１つの無線ドッキング環境を選択し、
前記選択された無線ドッキング環境を供給している前記ホストに、前記ドッキー通信ユニットを介して、識別要求を送信し、前記識別要求は、前記ホストの周辺機器に対して、離れた距離において検出可能であり、ディスプレイスクリーンの作動範囲内にいるユーザのために前記ディスプレイスクリーン上にテキストメッセージを表示するのとは異なる、物理的且つ遠隔的に検出可能なフィードバックの付与を要求し、前記物理的且つ遠隔的に検出可能なフィードバックは、前記周辺機器を有する前記ドッキー装置のユーザが前記選択された前記ドッキング環境を認識できるようにする、ドッキー装置。
【請求項１０】
前記ドッキープロセッサが、
前記ユーザが、前記複数の利用可能な無線ドッキング環境から１つの無線ドッキング環境を選択した場合に、前記識別要求を自動的に送信する、又は、
前記ユーザが、ただ１つの利用可能な無線ドッキング環境がある場合に、１つの無線ドッキング環境を選択した場合、前記識別要求を送信しない、又は、
ユーザが前記識別要求の送信を開始できるようにする、又は、
ユーザが前記識別要求として、前記物理的且つ遠隔的に検出可能なフィードバックを与えるため、前記ホストの特定の周辺機器を要求する特定の識別要求の送信を開始できるようにする、又は、
前記物理的且つ遠隔的に検出可能なフィードバックを検出し、前記物理的且つ遠隔的に検出可能なフィードバックを修正するため、前記ホストの特定の周辺機器を要求する修正要求を送信する、請求項９記載のドッキー装置。
【請求項１１】
前記ドッキープロセッサが、
前記物理的且つ遠隔的に検出可能なフィードバックを検出し、ここで、１つの初期無線ドッキング環境を選択し、初期識別要求を送信する際、物理的且つ遠隔的に検出可能なフィードバックは検出されず、
物理的且つ遠隔的に検出可能なフィードバックが検出されるまで、他の無線ドッキング環境を選択し、他の識別要求を送信する、請求項９記載のドッキー装置。
【請求項１２】
ホストと少なくとも１つのドッキー装置との間で無線ドッキングするホスト方法であって、
前記ホスト及び前記ドッキー装置は、ドッキングセッションをセットアップするため、無線通信を介してドッキングし、
前記ホストは、少なくとも１つの周辺機器を有する少なくとも１つの無線ドッキング環境を供給し、
前記ドッキングセッションは、前記ドッキー装置が前記周辺機器を使用できるようにし、
前記ホスト方法は、前記ホストにおいて、前記ドッキングセッションを確立する前に、
前記ドッキー装置から識別要求を受信し、前記識別要求は、前記ホストの周辺機器に対して、離れた距離において検出可能であり、ディスプレイスクリーンの作動範囲内にいるユーザのために前記ディスプレイスクリーン上にテキストメッセージを表示するのとは異なる、物理的且つ遠隔的に検出可能なフィードバックの付与を要求し、
前記周辺機器を有する前記ドッキー装置のユーザが、前記選択された前記ドッキング環境を認識できるようにする物理的且つ遠隔的に検出可能なフィードバックを生成するため、前記周辺機器を制御することによって、前記識別要求に応答する、ホスト方法。
【請求項１３】
ホストとドッキー装置との間の無線ドッキングのドッキー方法であって、
前記ホスト及び前記ドッキー装置は、ドッキングセッションをセットアップするため、無線通信を介してドッキングし、
前記ドッキングセッションは、前記ドッキー装置が、前記ホストによって供給される無線ドッキング環境に含まれる前記周辺機器を使用できるようにし、
前記ドッキー方法は、前記ドッキー装置において、前記ドッキングセッションを確立する前に、
複数の利用可能な無線ドッキング環境から１つの無線ドッキング環境を選択し、
前記ドッキー装置において、
前記選択された無線ドッキング環境を供給している前記ホストに、前記ドッキー通信ユニットを介して、識別要求を送信し、前記識別要求は、前記ホストの周辺機器に対して、離れた距離において検出可能であり、ディスプレイスクリーンの作動範囲内にいるユーザのために前記ディスプレイスクリーン上にテキストメッセージを表示するのとは異なる、物理的且つ遠隔的に検出可能なフィードバックの付与を要求し、
前記ホストにおいて、
前記ドッキー装置からの前記識別要求を受信し、
前記周辺機器を有する前記ドッキー装置のユーザが、前記選択された前記ドッキング環境を認識できるようにする物理的且つ遠隔的に検出可能なフィードバックを生成するため、前記周辺機器を制御することによって、前記識別要求に応答する、ドッキー方法。
【請求項１４】
ホストとドッキー装置との間の無線ドッキングのためのコンピュータプログラム製品であって、請求項１２又は１３に記載の方法をプロセッサに実行させるために動作するプログラムを有する、コンピュータプログラム製品。